(57)【要約】      （修正有）【課題】複数の紙巻き器本体の境界部分での掃除を行い易くする紙巻装置を提供する。【解決手段】トイレットペーパを保持可能な紙巻き器本体１と、複数の紙巻き器本体１が幅方向に並列した状態で、隣接する紙巻き器本体１の境界部分となる周壁を覆うカバー部材２３とを備える。【選択図】図２
2017113200.tif 000002
【特許請求の範囲】
【請求項１】
トイレットペーパを保持可能な紙巻き器本体と、
複数の前記紙巻き器本体が幅方向に並列した状態で、隣接する前記紙巻き器本体の境界部分を覆うカバー部材と、
を備えることを特徴とする紙巻き装置。
【請求項２】
前記紙巻き器本体は、背板と前記背板の幅方向両端部に配され前方へ片持ち状に延出する一対の支持壁とを備える一方、
前記カバー部材は幅方向に隣接する前記紙巻き器本体の隣接する前記支持壁同士を連結可能であることを特徴とする請求項１に記載の紙巻き装置。
【請求項３】
前記紙巻き器本体は、前記両支持壁の間を上下方向に揺動可能に設けられた紙切り部材をさらに備え、
前記カバー部材と幅方向に隣接する前記紙巻き器本体の隣接する前記両支持壁とを連結する連結部位同士の幅方向に関する間隔が、前記支持壁における前記背板側の端部より前端側の方が幅狭となっていることを特徴とする請求項２に記載の紙巻き装置。
【発明の詳細な説明】
【技術分野】
【０００１】
本発明は、紙巻き装置に関するものである。
【背景技術】
【０００２】
従来より、トイレットペーパを横並びの２連に保持する紙巻き装置が知られている。一例として、下記特許文献１が知られている。このものは、設置壁に固定されるホルダー本体に対し三つの爪保持壁を幅方向へ等間隔で取り付けるようにした構成である。この構成であると、保持するトイレットペーパの数に対応した専用のホルダー本体を用意する必要があり、部品管理やコストの点で問題がある。
【０００３】
そこで、一つのトイレットペーパを保持する単体の紙巻き器を複数個用いて、これらを保持すべきトイレットペーパの数に応じて順に並列して行く方式が考えられる。
【先行技術文献】
【特許文献】
【０００４】
【特許文献１】特開２００２−２３８８０２号公報
【発明の概要】
【発明が解決しようとする課題】
【０００５】
しかし、このような複数個の並列方式であると、隣接する紙巻き器の継ぎ目にゴミが落ち込んでたまり易く、加えて、たまったゴミの掃除がし辛いという問題もある。また、個々の紙巻き器を単に繋いだだけであり、全体形態としてのデザイン上のまとまりに欠けるといった点も指摘できる。
【０００６】
本発明は上記のような事情に基づいて完成されたものであって、境界部分での掃除を容易に行うことができる紙巻き装置を提供することを目的とする。
【課題を解決するための手段】
【０００７】
本発明の紙巻き装置は、トイレットペーパを保持可能な紙巻き器本体と、
複数の前記紙巻き器本体が幅方向に並列した状態で、隣接する前記紙巻き器本体の境界部分を覆うカバー部材と、
を備えることを特徴とする。
【０００８】
本発明によれば、複数個の紙巻き器本体が幅方向に並列して設置された状態で隣接する紙巻き器本体の境界部分をカバー部材によって覆うことができる。したがって、個々の紙巻き器本体の単なる集合体として認識させるのでなく、切れ目のない連続体として認識させうるため、複数のトイレットペーパを保持する紙巻き装置としてのデザイン性を向上させることができる。また、カバー部材によって紙巻き器本体の境界にゴミが落ち込んでしまうことが回避され、掃除もし易くなる、という利点もある。
【図面の簡単な説明】
【０００９】
【図１】単体状態での紙巻き器において、一方の支持壁からキャップ部材を取り外した状態を示す斜視図
【図２】カバー部材によって紙巻き器を２連に接続した形態を示す斜視図
【図３】同じく正面図
【図４】同じく平面図
【図５】カバー部材を取り外して支持壁を側方から見た側面図
【図６】カバー部材と支持壁との連結状態を示す側面図
【図７】連結突起と係止凹部との係止状態を拡大して示す断面図
【図８】カバー部材の斜視図
【図９】カバー部材における上下方向中央部での平断面図
【図１０】図９のＡ−Ａ線断面図
【発明を実施するための形態】
【００１０】
本発明における好ましい実施の形態を説明する。
前記紙巻き器本体は、背板と前記背板の幅方向両端部に配され前方へ片持ち状に延出する一対の支持壁とを備える一方、前記カバー部材は幅方向に隣接する前記紙巻き器本体の隣接する前記支持壁同士を連結可能な構成としてもよい。
このような構成によれば、カバー部材という単一の部材が紙巻き器本体同士の連結機能とカバー機能とを兼備するから、仮に、カバー機能をもった部材とは別に連結専用の部材を要するとした場合と比べれば部品点数を削減することができる。
【００１１】
また、前記紙巻き器本体は、前記両支持壁の間を上下方向に揺動可能に設けられた紙切り部材をさらに備え、前記カバー部材と幅方向に隣接する前記紙巻き器本体の隣接する前記両支持壁とを連結する連結部位同士の幅方向に関する間隔が、前記支持壁における前記背板側の端部より前端側の方が幅狭となるよう構成してもよい。
仮に、紙巻き器本体の両支持壁の前端が内向きとなるように変形していると、支持壁と紙切り部材とが干渉してしまう虞がある。しかし、上記のような構成によれば、カバー部材が隣接する紙巻き器本体を連結した際に、隣接する支持壁の前端側同士を接近する方向、つまり幅方向外側に強制的に拡開させるよう矯正することができる。これによって、紙切り部材と支持壁との干渉を未然に回避することができる。
【００１２】
＜実施例１＞
図１は紙巻き器本体１の単体状態を示しており、一方（図示右側）の支持壁２に装着されているキャップ部材３を取り外した状態を示している。図２乃至図４は２個の紙巻き器本体１を幅方向に並列して連結した状態を示している。但し、以下の説明において「幅方向」とは図３における左右方向であり、「前後方向」とは図４における上下方向であり、「上下方向」とは図５における上下方向を言うものとする。
【００１３】
さて、紙巻き器本体１は合成樹脂製であり、図４に示すように、背板４と、この背板４の前面において幅方向両端部に取り付けられた一対の支持壁２と、両支持壁２の間において上下方向へ揺動可能に取付けられた紙切り部材５とを備えて構成されている。
【００１４】
図３に示すように、背板４は横長の略方形状に形成され、設置壁Ｗに対する取付け用の凹部６が３か所に設けられている。取付け用の凹部６は、上部側において幅方向に分かれて２箇所、下部側において幅方向中央に一箇所が配されている。上部側に配された両取付け用の凹部６は幅方向へ長く延出され、下部側に配された取付け用の凹部６は縦方向に長く延出されている。いずれの取付け用の凹部６においても、取付け用凹部６の延出方向と同方向への長孔となった差し込み孔７が貫通している。但し、本実施例１においては下部側に配された差し込み孔７は上部側のものに比べて短めに形成されている。差し込み孔７の周囲には座面６Ａが形成され、差し込み孔７を介して設置壁Ｗにねじ込まれるねじ８の頭部を受けるようになっている。
【００１５】
背板４の幅方向両側縁には一対の支持壁２が前方へ片持ち状に延出して形成され、幅方向で対向している。図５に示すように、両支持壁２は、鉛直方向に沿って延びる後縁および水平方向に沿って延びる上下縁がストレート状をなして形成されるが、前縁は半円状をなして形成されている。
【００１６】
図５等に示すように、支持壁２の前縁部寄りでかつ上下方向に関して上部寄りの部位には縦長の窓孔９が開口している。この窓孔９にはトイレットペーパＴを保持するための保持爪１０が装着される。
【００１７】
支持壁２の外面であって窓孔９の開口縁には、窓孔９を全周から取り囲むようにして窓枠１１が立設されている。窓枠１１のうち下端縁には補強縁１２が連続しかつこの補強縁１２は前後方向に沿いつつ支持壁２の後端まで延出している。補強縁１２のうち窓枠１１の下縁に対応する長さ範囲は、全範囲に亘って逃がし凹部１３が切欠き形成されている。
図１、図５に示すように、窓枠１１において前後に対向する両側縁の上下方向の中央部及び下端寄りには前後でペアをなす計２対の切欠き溝１４が形成されている。下端寄りに配された両切欠き溝１４には保持爪１０の支持軸１５が横架されている。保持爪１０はこの支持軸１５を中心として回動可能であり、支持壁２の内方へ支持壁２の壁面とほぼ直交して水平姿勢で突出する突出位置と、窓孔９内に引っ込んでほぼ直立姿勢で退避する退避位置との間を回動可能である。保持爪１０が突出位置にあるときには、保持爪１０の付け根側が窓孔９の下縁部に当接することで突出位置を越えて回動することが規制されている。一方、保持爪１０が退避位置にあるときには、窓枠１１の上縁部の前後方向中央部に下向きに突出形成されたストッパ突起１６に保持爪１０の先端部が当接することで、保持爪１０が退避位置を越えて回動することが規制されている。
【００１８】
保持爪１０は窓孔９にほぼ適合する外形に形成され、先端側のみ前後部が角落しされている。保持爪１０の基端部には前後方向に沿って筒状のばね装着部１７が形成されている。ばね装着部１７は図５等に示すように、前後方向に関する一定範囲が外方へ向けて開口して横穴１７Ａが形成されている。前記した支持軸１５は、中央部にトーションバネ１８が巻着された状態でばね装着部１７の前後両端部を貫通し、上記したように、下端寄りに配された両切欠き溝１４の間に橋渡されている。
【００１９】
図５に示すように、支持壁２の外面において、窓枠１１の前後両側縁の下端部から前後方向外方へ等距離だけ離れた位置には、一対のずれ止め壁１９が立設されている。このずれ止め壁１９は保持爪１０の支持軸１５の両軸端面に当接可能であり、支持軸１５の軸方向へのずれ規制を行っている。なお、両ずれ止め壁１９のうち後側のものはその下端が補強縁１２に接続されている。
【００２０】
また、図５に示すように、支持壁２の外面において補強縁１２を挟んで窓枠１１の下方にはばね受け部２０が突設されている。ばね受け部２０は前後方向両側から中央部に向けて徐々に突出高さを増すような略山形形状に形成され、かつ頂部が平面をなす台状に形成されている。さらに、図５に示すように、ばね受け部２０の頂部には上下方向に沿ってずれ止め溝２１が凹設されている。前記したトーションバネ１８の一端はこのずれ止め溝２１に係止し、他端は、詳細には図示しないが、ばね装着部１７内に連通する保持爪１０の中空空間内に延びて同空間内の壁面に係止している。これにより、トーションバネ１８は保持爪１０を突出位置へ向けて回動するよう付勢する。
【００２１】
支持壁２の後縁を除く周縁には外向きに周壁２２が立設されており、この周壁２２にはキャップ部材３とカバー部材２３が選択的に嵌め付け可能である。周壁２２は窓枠１１及び補強縁１２の突出高さとほぼ同じ高さに形成されている。周壁２２のうち支持壁２の前端部には上下二箇所に開口２４が配され、両開口２４の間には前小壁２５が形成されている。この前小壁２５の外面、および残りの周壁２２における外面には適当間隔毎に複数の連結突起２６が突出形成されている。これら連結突起２６は前後方向に沿った同一ライン上に配置されている。図７に示すように、各連結突起２６にはキャップ部材３あるいはカバー部材２３の嵌合方向（同図に示すＳ矢印方向）に沿って先端側から徐々に上り勾配となる傾斜面２６Ａが形成され、嵌合方向後端はほぼ真っ直ぐ（周壁２２の外面からほぼ直角）に起立した係止面２６Ｂが形成されている。
【００２２】
キャップ部材３も合成樹脂製であり、図１に示すように、支持壁２の全面に適合する蓋板２７を有し、その周縁の全縁には嵌合壁２８が形成されている。嵌合壁２８は支持壁２の周壁２２に対し外側から嵌合可能である。蓋板２７の内面には支持壁２の各切欠き溝１４に突入される軸押さえ２９が４か所に突出形成されている。キャップ部材３が支持壁２に嵌着されたときに、軸押さえ２９のうち切欠き溝１４のうち保持爪１０の支持軸１５が通過しているものに対応する位置にあるペアは、対応する切欠き溝１４のペア内に突入し、支持軸１５の両端部寄りの部位を押さえ込むことで、保持爪１０を外れ止めしている。キャップ部材３を支持壁２に取り付けたときに、軸押さえ２９のうち支持軸１５に対応しないペアを設けているのは、左右のキャップ部材３は装着時に上下が逆転する関係にあることを考慮したうえで、両キャップ部材３を左右共通の部品とするためである。
【００２３】
さらに、キャップ部材３の嵌合壁２８の内面側には複数の係止受け部３０が方形状に凹み形成され、これらは支持壁２の各連結突起２６に対応した位置に配されている。
【００２４】
紙切り部材５は、基板５Ａを有しており、その後端部には詳細には図示されないが、幅方向外方へ向けて支持軸部５Ｂが突出している。両支持軸部５Ｂは、両支持壁２の内面における後端上部に形成された軸孔３１へ差し込まれ、紙切り部材５全体を支持軸部５Ｂを中心として上下方向に回動可能に支持している。基板の内面側であって先端部寄りには図示しないおもりが装着されていて、紙切り部材５全体を下方、つまりトイレットペーパＴに覆い被さる方向に付勢している。また、基板５Ａの先端にはほぼ全幅に亘って鋸刃状の紙切り部５Ｃが形成されている。
【００２５】
次に、主として図８乃至図１０を参照してカバー部材２３の説明を行う。本実施例１のカバー部材２３は幅方向に並列する複数の紙巻き器本体１の継ぎ目を隠す機能と、紙巻き器本体１を幅方向に連結する機能とを有する。
【００２６】
カバー部材２３も合成樹脂材にて一体に形成されている。カバー部材２３は、仕切り板３２とこの仕切り板３２から幅方向両側へ対称に張り出す覆い壁３３とを備えて形成されている。覆い壁３３は仕切り板３２の全周縁に沿って形成されている。カバー部材２３において、仕切り板３２を挟んで幅方向両側は一対の嵌合部Ｒ１，Ｒ２となっている（図９参照）。両嵌合部Ｒ１，Ｒ２は、紙巻き器本体１を幅方向に並列させたときに、隣り合う支持壁２の周壁２２に対して嵌合可能であるとともに、紙巻き器本体１の継ぎ目となる両周壁２２の全範囲を覆い隠すことができる。但し、実施例１では好ましい形態として両周壁２２の全範囲を覆い隠す形態を例示したが、一部、例えば周壁２２の上部領域が覆い隠される形態としてもよい。
【００２７】
覆い壁３３は、後端に位置する後壁部３３Ａとこの後壁部３３Ａの上下両端から前端の頂点部（前方へ最も突出した部位：図１０でＰにて示される部位）にかけての上下の領域である上側壁部３３Ｂ及び下側壁部３３Ｃとからなっている。図９に示すように、覆い壁３３全体の幅寸法に関し、後端側から頂点部Ｐに向けて徐々に幅狭となるように形成されている。図９に示すように、覆い壁３３の後端部での幅寸法をＷ１としたときに、頂点部Ｐでの幅寸法Ｗ２はＷ１＞Ｗ２となっている。
【００２８】
また、両嵌合部Ｒ１，Ｒ２には覆い壁３３の内面に複数の係止凹所３４が凹設され、それぞれが前後方向に沿って２列に配されている。各係止凹所３４は仕切り板３２を境にして対称位置に配されている。これら係止凹所３４はキャップ部材３の各係止受け部３０に対応するものであり、両嵌合部Ｒ１，Ｒ２が、幅方向に隣接する紙巻き器本体１の隣接する両支持壁２に嵌合したときに、各係止凹所３４は隣接する紙巻き器本体１の連結突起２６の各列にそれぞれ嵌合し、これによってカバー部材２３を介して紙巻き器本体１同士を幅方向に連結することができる。
【００２９】
ところで、両嵌合部Ｒ１，Ｒ２において幅方向で対応する関係にある係止凹所３４同士の間隔は、図９に示すように、後端側から頂点部側にかけて徐々に幅狭となるように設定されている。例えば、後端側に位置する係止凹所３４のペアの間隔をＷ３としたときに、頂点部に位置する係止凹所３４のペアの間隔Ｗ４はＷ３＞Ｗ４となっている。したがって、幅方向で隣接する紙巻き器本体１がカバー部材２３によって連結された状態では、幅方向に隣接する支持壁２の前端側は幅方向外側へ、つまり隣接する支持壁２同士を互いに接近させる方向に強制変形させられることになる。このことにより、隣接する紙巻き器本体１において支持壁２と紙切り部材５との干渉が未然に回避されることになる。
【００３０】
図１０に示すように、仕切り板３２の両面において覆い壁３３寄りの周縁であって、各係止凹所３４に対応した位置には肉抜き孔３５が複数個所に開口している。また、仕切り板３２における前部寄りの部位にはキャップ部材３と同様の軸押さえ３６が４か所にそれぞれ外向きに突出形成されている。各軸押さえ３６の配置、構成及び機能についてはキャップ部材３で説明したものと全く同様であるため、重複した説明は省略する。
【００３１】
次に、上記のように構成された本実施例１の作用効果を説明する。紙巻き器本体１が単体で使用されるときには、両支持壁２のそれぞれにキャップ部材３が取付けられ、その状態で設置壁Ｗに対してねじ８を介して全体の固定がなされる。トイレットペーパＴを保持するときには、トイレットペーパＴにて紙切り部材５を上方へ押し上げつつ両支持壁２の間に嵌め入れる。これに伴い、トイレットペーパＴの外周面が突出位置にある双方の保持爪１０に下方から当接するため、両保持爪１０はトーションバネ１８のばね力に抗して退避位置に押し込まれる。そして、トイレットペーパＴの芯体の筒孔（いずれも図示しない）が保持爪１０と適合すれば、保持爪１０はトーションバネ１８にて突出位置に復帰して筒孔内に刺さり込む。かくして紙巻き器本体１にトイレットペーパＴが保持される。
【００３２】
一方、紙巻き器本体１を幅方向に連結して使用するときには、設置壁Ｗへの固定に先立って、紙巻き器本体１を連結したときに隣接（対向）する位置関係となる支持壁２からキャップ部材３をそれぞれ取り外しておく。
【００３３】
この状態で、一方の紙巻き器本体１に対し、キャップ部材３が取り外された状態の支持壁２に対しカバー部材２３の一方の嵌合部を適合させてそのまま嵌合させる。具体的には、支持壁２における周壁２２の外面に対しカバー部材２３の覆い壁３３の片側を適合させて嵌合させる。これにより、周壁２２の各連結突起２６にカバー部材２３の対応する係止凹所３４が係止するのであるが、前述したように、各連結突起２６にはカバー部材２３の嵌合方向に沿った傾斜面２６Ａが形成されているため、嵌合作業は円滑になされ、傾斜面２６Ａを越えた時点で係止面２６Ｂが係止凹所３４の開口縁に係止してカバー部材２３の外れ止めがなされる（図７状態）。また、上記したカバー部材２３の嵌合の際には、各軸押さえ３６が対応する切欠き溝１４にそれぞれ進入する。４つの軸押さえ３６のうち下側のペアについては、下側の切欠き溝１４に進入した際に、保持爪１０の支持軸１５の両端部を押さえ付けて保持爪１０の固定がなされる。
【００３４】
上記のようにして一方の紙巻き器本体１に対してカバー部材２３の片側の嵌合部Ｒ１（Ｒ２）の嵌合が完了すれば、同様の要領で他方の紙巻き器本体１に対してもカバー部材２３の他方の嵌合部Ｒ２（Ｒ１）への嵌合作業を行う。こうすることで、二つの紙巻き器本体１がカバー部材２３を介して横並びに連結された形態の紙巻き装置が得られる。こうして得られた紙巻き装置は、両紙巻き器本体１の背板４をそれぞれねじ止めすることによって設置壁Ｗへの取付けがなされる。
【００３５】
以上のように、本実施例１の紙巻き装置では、カバー部材２３の覆い壁３３が隣接する支持壁２の間を橋渡すようにして両支持壁２の周壁２２の全範囲を覆い隠すため、つまり、両紙巻き器本体１のつなぎ目が覆われるため、つなぎ目にゴミが浸入することがなく、掃除を簡単に行うことができる。
【００３６】
また、上記のようにしてつなぎ目を覆い隠すため、使用者は二つの独立した紙巻き器を単に連結したものとして認識するのでなく、複数のトイレットペーパＴを保持可能な一連の紙巻き装置として認識する、というデザイン上の利点も得られる。さらに、本実施例１によれば、独立した２つの紙巻き器本体１を連結したものであるため、単体の仕様と連結した仕様とで紙巻き器本体１を共用することができる。換言すれば、一つの紙巻き器本体１を単独で使用する仕様と、複数の紙巻き器本体１がカバー部材２３を介して複数個、連結された仕様とを選択することが可能となる。つまり、両仕様で専用のものを必要としないから、コスト面で有利であり、部品管理も簡単になる。
【００３７】
さらに、本実施例１の紙巻き装置では、カバー部材２３によって紙巻き器本体１を連結した際に、両紙巻き器本体１に対するカバー部材２３の連結部位、すなわち幅方向で対をなす連結突起２６と幅方向で対をなす係止凹所３４との係止部位の間隔が、後部側から前部側に向けて徐々に狭くなるようになっているため、両紙巻き器本体１で隣接する支持壁２の前端同士が互いに接近するように強制的に変形させられている。このため、仮に、一つの紙巻き器本体１において支持壁２同士が互いに接近する方向へ内向きに変形していたとしても、カバー部材２３によって支持壁２同士を強制的に拡開変形させるようになっていることから、支持壁２と紙切り部材５との干渉を未然に回避することができる。
【００３８】
＜他の実施例＞
本発明は上記記述及び図面によって説明した実施例に限定されるものではなく、例えば次のような実施例も本発明の技術的範囲に含まれる。
（１）上記実施例では、カバー部材２３は紙巻き器本体１同士の連結機能を持たず、紙巻き器本体１を個別に設置壁Ｗに固定するような形式のものであってもよい。
【００３９】
（２）上記実施例では、紙巻き器本体１を２連に連結した形態を例示したが、３連以上の形態であってもよい。
（３）上記実施例では、カバー部材同士の連結部位を隣接する支持壁としたが、これに代えて隣接する背板とすることも可能である。
（４）上記実施例では、支持壁にキャップ部材を被せ付けるようにしたが、支持壁とキャップ部材を一体に形成することも可能である。
【符号の説明】
【００４０】
１…紙巻き器本体
２…支持壁
４…背板
５…紙切り部材
２３…カバー部材
２６…連結突起（連結部位）
３４…係止凹所（連結部位）
Ｔ…トイレットペーパ
【図１】
2017113200.tif 000003
【図２】
2017113200.tif 000004
【図３】
2017113200.tif 000005
【図４】
2017113200.tif 000006
【図５】
2017113200.tif 000007
【図６】
2017113200.tif 000008
【図７】
2017113200.tif 000009
【図８】
2017113200.tif 000010
【図９】
2017113200.tif 000011
【図１０】
2017113200.tif 000012